【手続補正書】
【提出日】平成21年6月11日(2009.6.11)
【手続補正１】
【補正対象書類名】特許請求の範囲
【補正対象項目名】全文
【補正方法】変更
【補正の内容】
【特許請求の範囲】
【請求項１】
式Ｉ：
【化１】
2009155653.tif 000001
[式中：
ＡおよびＸは、独立して、所望により置換されていてもよいｏ−、ｍ−、ｐ−フェニレンまたは所望により置換されていてもよいヘテロアリーレンであり、ここで（ｉ）ＡおよびＸは両方とも極性（Ｐ）基および非極性（ＮＰ）基で置換されているか、（ｉｉ）ＡまたはＸのうちの１が極性（Ｐ）基および非極性（ＮＰ）基で置換されていて、ＡまたはＸの他方は極性（Ｐ）基でも非極性（ＮＰ）基でも置換されていないか、（ｉｉｉ）ＡまたはＸのうちの１が１または２の極性（Ｐ）基で置換されていて、ＡまたはＸの他方が１または２の非極性（ＮＰ）基で置換されているか、あるいは（ｉｖ）ＡまたはＸのうちの１は２−位で極性（Ｐ）基で置換され、５−または６−位で非極性（ＮＰ）基で置換されていて、ＡまたはＸの他方は非極性基で置換されているかのいずれかであり；あるいは
Ａは前記定義に同じであって、極性（Ｐ）基および非極性（ＮＰ）基で置換されていて、Ｘは基Ｃ≡Ｃ（ＣＨ２）ｐＣ≡Ｃであり（ここにｐは下記定義に同じ）；
ｓは存在しないか、またはｓは−ＣＨ＝ＣＨ−または−Ｃ≡Ｃ−であり；
Ｒ１は（ｉ）ハロゲンであって、Ｒ２は水素であり；（ｉｉ）Ｙ−ｓ−Ｘ−ｓ−であって、Ｒ２はＹであり；または（ｉｉｉ）Ｙ−ｓ−であって、Ｒ２は−Ａ−ｓ−Ｙ（ここにＹはピリジンまたはフェニルであり、該ピリジンまたはフェニルは、所望により、独立してハロゲン、ニトロ、シアノ、Ｃ１−Ｃ６アルコキシ、Ｃ１−Ｃ６アルコキシカルボニルおよびベンジルオキシカルボニルよりなる群から選択される１または２の置換基で置換されていてもよい）；  
ＮＰは、独立して、Ｒ４または−Ｕ−（ＣＨ２）ｐ−Ｒ４から選択される非極性基であり、ここにＲ４は水素、Ｃ１−Ｃ１０アルキル、Ｃ３−Ｃ１８分岐型アルキル、Ｃ３−Ｃ８シクロアルキル、所望により１またはそれを超えるＣ１−Ｃ４アルキルまたはハロゲン基で置換されていてもよい単環式または多環式フェニル、および所望により１またはそれを超えるＣ１−Ｃ４アルキルまたはハロゲン基で置換されていてもよい単環式または多環式ヘテロアリールよりなる群から選択され、Ｕおよびｐは後記定義に同じであり；
Ｐは下記式で示されるＩＩＩ、ヒドロキシエトキシメチル、メトキシエトキシメチルおよびポリオキシエチレンよりなる群から選択される極性基であり、
【化２】
2009155653.tif 000002
式中；
Ｕは存在しないか、またはＯ、Ｓ、Ｓ（＝Ｏ）、Ｓ（＝Ｏ）２、ＮＨ、−Ｃ（＝Ｏ）Ｏ−、−Ｃ（＝Ｏ）ＮＨ−、−Ｃ（＝Ｏ）Ｓ−、−Ｃ（＝Ｓ）ＮＨ−、−Ｓ（＝Ｏ）２ＮＨ−およびＣ（＝ＮＯ−）よりなる群から選択され、ここに２の化学的に非等価な末端を有する基は両方の可能な方向をとり得；
Ｖはアミノ、ヒドロキシル、Ｃ１−Ｃ６アルキルアミノ、Ｃ１−Ｃ６ジアルキルアミノ、ＮＨ（ＣＨ２）ｐＮＨ２、Ｎ（ＣＨ２ＣＨ２ＮＨ２）２、アミジン、グアニジン、セミカルバゾン、塩基性複素環、および所望によりアミノ、Ｃ１−Ｃ６アルキルアミノ、Ｃ１−Ｃ６ジアルキルアミノおよび所望により１またはそれを超えるアミノ、Ｃ１−Ｃ６アルキルアミノまたはＣ１−Ｃ６ジアルキルアミノで置換されていてもよいＣ１−Ｃ６アシルアミノで置換されていてもよいフェニルよりなる群から選択され；および
アルキレン鎖は所望によりアミノまたはヒドロキシル基で置換されていてもよく、または不飽和であり；
ｐは独立して０ないし８であり；および
ｍは２ないし５００であるが、
但し、ＡおよびＸがチオフェンである場合、極性基が３−（プロピオン酸）またはメトキシ（ジエトキシ）エチルとなることはできず、非極性基がｎ−ドデシルとなることはできない]
で示される化合物を含むポリマーまたはオリゴマー。
【請求項２】
ＡおよびＸは、独立して、所望により置換されていてもよいｏ−、ｍ−またはｐ−フェニレンであり；
ｓは存在しないか、またはｓは−Ｃ≡Ｃ−であり；
ＮＰは、独立して、Ｒ４または−Ｕ−（ＣＨ２）ｐ−Ｒ４から選択される非極性基であり、ここにＲ４は水素、Ｃ１−Ｃ４アルキル、Ｃ３−Ｃ１２分岐型アルキル、Ｃ３−Ｃ８シクロアルキル、所望により１またはそれを超えるＣ１−Ｃ４アルキル基で置換されていてもよいフェニル、および所望により１またはそれを超えるＣ１−Ｃ４アルキル基で置換されていてもよいヘテロアリールよりなる群から選択され、およびＵおよびｐは下記定義に同じであり;
Ｐは下記式ＩＩＩ、ヒドロキシエトキシメチル、メトキシエトキシメチルまたはポリオキシエチレンよりなる群から選択される極性基であり；
【化３】
2009155653.tif 000003
式中：
Ｕは存在しないか、Ｏ、Ｓ、ＳＯ、ＳＯ２またはＮＨであり；
Ｖはアミノ、ヒドロキシル、Ｃ１−Ｃ６アルキルアミノ、Ｃ１−Ｃ６ジアルキルアミノ、ＮＨ（ＣＨ２）ｐＮＨ２、Ｎ（ＣＨ２ＣＨ２ＮＨ２）２、アミジン、グアニジン、セミカルバゾン、イミダゾール、ピペリジン、ピペラジン、４−アルキルピペラジン、および所望によりアミノ、Ｃ１−Ｃ６アルキルアミノ、Ｃ１−Ｃ６ジアルキルアミノおよび所望により１またはそれを超えるアミノ、Ｃ１−Ｃ６アルキルアミノまたはＣ１−Ｃ６ジアルキルアミノで置換されていてもよいＣ１−Ｃ６アシルアミノで置換されていてもよいフェニルよりなる群から選択され；
アルキレン鎖は所望によりアミノまたはヒドロキシル基で置換されていてもよく、または不飽和であり；
ｐは独立して０ないし８であり；および
ｍは２ないし５００である
請求項１記載のポリマーまたはオリゴマー。
【請求項３】
ＡおよびＸは、独立して、所望により置換されていてもよいｍ−フェニレンであり、ここで（ｉ）Ａは５−位で非極性（ＮＰ）基で置換されており、Ｘは５−位で非極性（Ｐ）基で置換されているか、（ｉｉ）Ａは２−位で極性（Ｐ）基で置換されており、５−位で非極性（ＮＰ）基で置換されており、Ｘは２−位で非極性（ＮＰ）基で置換されており、５−位で極性（Ｐ）基で置換されているか、（ｉｉｉ）ＡまたはＸのうちの１が２−位で極性基で置換されており、５−位で非極性基で置換されており、ＡまたはＸの他方が極性基でも非極性基でも置換されていないか、または（ｉｖ）ＡまたはＸのうちの１が５−位で極性基で置換されており、２−位で非極性基で置換されており、ＡまたはＸの他方が極性基でも非極性基でも置換されていない；
ｓは存在しないか、またはｓは−Ｃ≡Ｃ−であり；
ＮＰは、独立して、Ｒ４または−Ｕ−（ＣＨ２）ｐ−Ｒ４から選択される非極性基であり、ここにＲ４は水素、メチル、エチル、ｎ−プロピル、イソ−プロピル、ｎ−ブチル、イソ−ブチル、sec-ブチル、tert-ブチル、ｎ−ペンチル、イソ−ペンチルおよびsec-ペンチルよりなる群から選択され、およびＵおよびｐは下記定義に同じであり；
Ｐは極性基Ｕ−（ＣＨ２）ｐ−Ｖであり、ここにＵは存在しないか、またはＯおよびＳよりなる群から選択され、およびＶはアミノ、Ｃ１−Ｃ６アルキルアミノ、Ｃ１−Ｃ６ジアルキルアミノ、イミダゾール、グアニジン、ＮＨ（ＣＨ２）ｐＮＨ２、Ｎ（ＣＨ２ＣＨ２ＮＨ２）２、ピペリジン、ピペラジン、４−アルキルピペラジンよりなる群から選択され；
ｐは独立して０ないし８であり；および
ｍは２ないし５００である
請求項１記載のポリマーまたはオリゴマー。
【請求項４】
式ＸＩＸ：
【化４】
2009155653.tif 000004
[式中：
ＮＰはメチル、エチル、ｎ−プロピル、イソ−プロピル、ｎ−ブチル、イソ−ブチル、ｎ−ブチル、sec−ブチル、tert−ブチル、ｎ−ペンチル、イソ−ペンチルまたはsec−ペンチルであり；
Ｐは極性基Ｕ−（ＣＨ２）ｐ−Ｖであり、ここにＵはＯまたはＳであり、ｐは０ないし８であり、Ｖはアミノ、Ｃ１−Ｃ６アルキルアミノ、Ｃ１−Ｃ６ジアルキルアミノ、グアニジン、ピリジン、ピペラジンおよび４−アルキルピペラジンよりなる群から選択され；
ｐは０ないし８であり；および
ｍは２ないし３０である]
で示される化合物を含む請求項３記載のポリマーまたはオリゴマー。
【請求項５】
式ＸＸ：
【化５】
2009155653.tif 000005
[式中：
ＮＰはメチル、エチル、ｎ−プロピル、イソ−プロピル、ｎ−ブチル、イソ−ブチル、ｎ−ブチル、sec−ブチル、tert−ブチル、ｎ−ペンチル、イソ−ペンチルまたはsec−ペンチルであり；
Ｐは極性基Ｕ−（ＣＨ２）ｐ−Ｖであり、ここにＵはＯまたはＳであり、ｐは０ないし８であり、Ｖはアミノ、Ｃ１−Ｃ６アルキルアミノ、Ｃ１−Ｃ６ジアルキルアミノ、グアニジン、ピリジン、ピペラジンおよび４−アルキルピペラジンよりなる群から選択され；
ｐは０ないし８であり；および
ｍは２ないし３０である]
で示される化合物を含む請求項３記載のポリマーまたはオリゴマー。
【請求項６】
ＡおよびＸは、独立して、所望により置換されていてもよいｐ−フェニレンであり、ここで（ｉ）Ａは２−位で非極性（ＮＰ）基で置換されていて、Ｘは５−または６−位で非極性（Ｐ）基で置換されているか、（ｉｉ）ＡおよびＸの両方は２−位で極性（Ｐ）基で置換されていて、５−または６−位で非極性（ＮＰ）基で置換されているか、または（ｉｉｉ）ＡまたはＸのうちの１は２−位で極性（Ｐ）基で置換されていて、５−または６−位で非極性（ＮＰ）基で置換されていて、ＡまたはＸの他方は極性基でも非極性基でも置換されていないかのいずれかであり；
ｓは存在しないか、またはｓは−Ｃ≡Ｃ−である；
ＮＰは、独立して、Ｒ４または−Ｕ−（ＣＨ２）ｐ−Ｒ４から選択される非極性基であり、ここにＲ４は水素、メチル、エチル、ｎ−プロピル、イソ−プロピル、ｎ−ブチル、イソ−ブチル、sec-ブチル、tert-ブチル、ｎ−ペンチル、イソ−ペンチルおよびsec-ペンチルよりなる群から選択され、およびＵおよびｐは下記定義に同じであり；
Ｐは極性基Ｕ−（ＣＨ２）ｐ−Ｖであり、ここにＵは存在しないか、またはＯおよびＳよりなる群から選択され、およびＶはアミノ、Ｃ１−Ｃ６アルキルアミノ、Ｃ１−Ｃ６ジアルキルアミノ、イミダゾール、グアニジン、ＮＨ（ＣＨ２）ｐＮＨ２、Ｎ（ＣＨ２ＣＨ２ＮＨ２）２、ピペリジン、ピペラジン、４−アルキルピペラジンよりなる群から選択され；
ｐは独立して０ないし８であり；および
ｍは２ないし５００である
請求項１記載のポリマーまたはオリゴマー。
【請求項７】
ＡおよびＸは、独立して、所望により置換されていてもよいヘテロアリーレンであり、ここでＡまたはＸのうちの１は１または２の極性（Ｐ）基で置換されていて、ＡまたはＸの他方は１または２の非極性（ＮＰ）基で置換されており；
ｓは存在しないか、またはｓは−Ｃ≡Ｃ−であり；
ＮＰは、独立して、Ｒ４または−Ｕ−（ＣＨ２）ｐ−Ｒ４から選択される非極性基であり、ここにＲ４は水素、Ｃ１−Ｃ４アルキル、Ｃ３−Ｃ１２分岐アルキル、Ｃ３−Ｃ８シクロアルキル、および所望により１またはそれを超えるＣ１−Ｃ４アルキル基で置換されていてもよいヘテロアリールよりなる群から選択され、およびＵおよびｐは下記定義に同じであり；
Ｐは下記式ＩＩＩ、ヒドロキシエトキシメチル、メトキシエトキシメチルまたはポリオキシエチレンよりなる群から選択される極性基であり、
【化６】
2009155653.tif 000006
式中：
Ｕは存在しないか、Ｏ、Ｓ、ＳＯ、ＳＯ２またはＮＨであり；
Ｖはアミノ、ヒドロキシル、Ｃ１−Ｃ６アルキルアミノ、Ｃ１−Ｃ６ジアルキルアミノ、ＮＨ（ＣＨ２）ｐＮＨ２、Ｎ（ＣＨ２ＣＨ２ＮＨ２）２、アミジン、グアニジン、セミカルバゾン、イミダゾール、ピペリジン、ピペラジン、４−アルキルピペラジン、および所望によりアミノ、Ｃ１−Ｃ６アルキルアミノ、Ｃ１−Ｃ６ジアルキルアミノおよび所望により１またはそれを超えるアミノ、Ｃ１−Ｃ６アルキルアミノまたはＣ１−Ｃ６ジアルキルアミノで置換されていてもよいＣ１−Ｃ６アシルアミノで置換されていてもよいフェニルよりなる群から選択され；および
アルキレン鎖は所望によりアミノまたはヒドロキシル基で置換されていてもよく、または不飽和であり；
ｐは独立して０ないし８であり；および
ｍは２ないし５００である
請求項１記載のポリマーまたはオリゴマー。
【請求項８】
ＡおよびＸは、独立して、所望により置換されていてもよい２,５−チオフェニレンまたは２,５−ピローレンであり、ここで（ｉ）Ａは３−位で非極性（ＮＰ）基で置換されていて、Ｘは３−位で極性（Ｐ）基で置換されているか、（ｉｉ）Ａは３−位で非極性（ＮＰ）基で置換されていて、Ｘは４−位で極性（Ｐ）基で置換されているか、または（ｉｉｉ）ＡまたはＸのうちの１は３−および４−位で非極性（ＮＰ）基で置換されていて、ＡまたはＸの他方は３−および４−位で極性（Ｐ）基で置換されており；
ｓは存在しないか、またはｓは−Ｃ≡Ｃ−であり；
ＮＰは、独立して、Ｒ４または−Ｕ−（ＣＨ２）ｐ−Ｒ４から選択される非極性基であり、ここにＲ４は水素、メチル、エチル、ｎ−プロピル、イソ−プロピル、イソ−ブチル、sec-ブチル、tert-ブチル、イソ−ペンチルおよびsec-ペンチルよりなる群から選択され、およびＵおよびｐは下記定義に同じであり；
Ｐは極性基Ｕ−（ＣＨ２）ｐ−Ｖであり、ここにＵは存在しないか、またはＯおよびＳよりなる群から選択され、およびＶはアミノ、Ｃ１−Ｃ６アルキルアミノ、Ｃ１−Ｃ６ジアルキルアミノ、イミダゾール、グアニジン、ＮＨ（ＣＨ２）ｐＮＨ２、Ｎ（ＣＨ２ＣＨ２ＮＨ２）２、ピペリジン、ピペラジン、４−アルキルピペラジンよりなる群から選択され；
ｐは独立して０ないし８であり；および
ｍは２ないし５００である
請求項１記載のポリマーまたはオリゴマー。
【請求項９】
接触して微生物を殺す、表面的に両親媒性の請求項１ないし８いずれか１記載のポリマーまたはオリゴマーをその上に設けた基体を準備し；ついで
その上に設けた該表面的に両親媒性のポリマーまたはオリゴマーを微生物と接触させて該基体上に置く
工程を含む微生物を殺す方法。
【請求項１０】
該基体が、木材、合成ポリマー、プラスチック、天然および合成の繊維、布、紙、ゴムおよびガラスよりなる群から選択される請求項９記載の方法。
【請求項１１】
該基体が、ポリスルホン、ポリアクリレート、ポリウレア、ポリエーテルスルホン、ポリアミド、ポリカーボネート、ポリフッ化ビニリデン、ポリエチレン、ポリプロピレンおよびセルロース物質よりなる群から選択されるプラスチックである請求項１０記載の方法。
【請求項１２】
請求項１ないし８いずれか１記載の表面的に両親媒性のポリマーまたはオリゴマーと、木材、合成ポリマー、天然および合成の繊維、布、紙、ゴムおよびガラスよりなる群から選択される固体支持体とを含む殺微生物組成物。
【請求項１３】
該固体支持体が、ポリスルホン、ポリアクリレート、ポリエーテルスルホン、ポリアミド、ポリカーボネート、ポリフッ化ビニリデン、ポリエチレン、ポリプロピレンおよびセルロース物質よりなる群から選択されるプラスチックである請求項１２記載の殺微生物組成物。
【請求項１４】
表面を第１の化学的官能基で処理し、ついで、第２の官能基に結合した表面的に両親媒性の請求項１ないし８いずれか１記載のポリマーまたはオリゴマーをそれに反応させることを含む、抗微生物性の表面的に両親媒性のポリマーまたはオリゴマーを表面に結合することによって抗微生物表面を製造する方法。
【請求項１５】
該第１の官能基が１-（トリアルコキシシリル）プロピルアミンであって、該第２の官能基が活性化されたカルボン酸である請求項１４記載の方法。
【請求項１６】
該第１の官能基がω−（トリアルコキシシリル）アルキル  ブロモメチルアセトアミドであって、該第２の官能基がチオールである請求項１４記載の方法。
【請求項１７】
該第１の官能基がＮ−[ω−（トリアルコキシシリル）アルキル]マレイミドであって、該第２の官能基がチオールである請求項１４記載の方法。
【請求項１８】
該第１の官能基が金表面であって、該第２の官能基がチオールである請求項１４記載の方法。
【請求項１９】
有効成分としての表面的に両親媒性の請求項１ないし８いずれか１記載のポリマーまたはオリゴマーと、塗料、コーティング剤、ラッカー、ワニス、コーキング剤、グラウト剤、接着剤、樹脂、フィルム、化粧品、石鹸および洗浄剤よりなる群から選択される組成物とを含む抗微生物組成物。
【請求項２０】
改良されたカテーテルであって、該改良が抗微生物性の表面的に両親媒性の請求項１ないし８いずれか１記載のポリマーまたはオリゴマーをその中またはその上に取込ませるかまたは結合させることを特徴とする該カテーテル。
【請求項２１】
改良されたコンタクトレンズであって、該改良が抗微生物性の表面的に両親媒性の請求項１ないし８いずれか１記載のポリマーまたはオリゴマーをその中またはその上に取込ませるかまたは結合させることを特徴とする該コンタクトレンズ。
【請求項２２】
病院および研究室用の改良されたプラスチック装置であって、該改良が抗微生物性の表面的に両親媒性の請求項１ないし８いずれか１記載のポリマーまたはオリゴマーをその中またはその上に取込ませるかまたは結合させることを特徴とする該プラスチック装置。
【請求項２３】
病院で使用する改良された織布および不織布であって、該改良が抗微生物性の表面的に両親媒性の請求項１ないし８いずれか１記載のポリマーまたはオリゴマーをその中またはその上に取込ませるかまたは結合させることを特徴とする該織布および不織布。
【請求項２４】
表面的に両親媒性の請求項１ないし８いずれか１記載のポリマーまたはオリゴマー、および医療機器または医療製品を含む殺微生物組成物。
【請求項２５】
該医療機器または医療製品が外科手袋、移植されたデバイス、縫合系、カテーテル、透析膜および水濾紙および器具よりなる群から選択される請求項２４記載の殺微生物組成物。
【請求項２６】
表面的に両親媒性の請求項１ないし８いずれか１記載のポリマーまたはオリゴマー、および紡糸可能な繊維を含む材料を含む殺微生物組成物。
【請求項２７】
紡糸可能な繊維を含む該材料がファブリック、外科ガウン、およびカーペットよりなる群から選択される請求項２６記載の殺微生物組成物。
【請求項２８】
Ｓが−Ｃ≡Ｃ−である請求項１記載のポリマーまたはオリゴマー。
【請求項２９】
ＡまたはＸの一方が極性（Ｐ）基および非極性（ＮＰ）基で置換されており、ＡまたはＸの他方が極性（Ｐ）基または非極性（ＮＰ）基で置換されている請求項２８記載のポリマーまたはオリゴマー。
【請求項３０】
ＡまたはＸの一方が２−位で極性基で、および５−位で非極性基で置換されており、ＡまたはＸの他方は極性基または非極性基で置換されていない請求項２９記載のポリマーまたはオリゴマー。
【請求項３１】
Ｐが極性基Ｕ−（ＣＨ２）−Ｖであり、ここに、Ｕは存在しないか、あるいはＯおよびＳよりなる群から選択され、ＶはＣ１−Ｃ６アルキルアミノ、Ｃ１−Ｃ６ジアルキルアミノ、イミダゾール、グアニジン、ＮＨ（ＣＨ２）ＰＮＨ２、Ｎ（ＣＨ２ＣＨ２ＮＨ２）２、ピペリジン、ピペラジン、および４−アルキルピペラジンよりなる群から選択される請求項３０記載のポリマーまたはオリゴマー。
【請求項３２】
Ｕが存在しない請求項３１記載のポリマーまたはオリゴマー。
【請求項３３】
式Ｉ：
【化７】
2009155653.tif 000007
[式中：
ＡおよびＸは、独立して、所望により置換されていてもよいｏ−、ｍ−、ｐ−フェニレンであり、ここで（ｉ）ＡおよびＸは両方とも極性（Ｐ）基および非極性（ＮＰ）基で置換されているか、（ｉｉ）ＡまたはＸのうちの１が極性（Ｐ）基および非極性（ＮＰ）基で置換されていて、ＡまたはＸの他方は極性（Ｐ）基でも非極性（ＮＰ）基でも置換されていないか、（ｉｉｉ）ＡまたはＸのうちの１が１または２の極性（Ｐ）基で置換されていて、ＡまたはＸの他方が１または２の非極性（ＮＰ）基で置換されているか、あるいは（ｉｖ）ＡまたはＸのうちの１は２−位で極性（Ｐ）基で置換され、５−または６−位で非極性（ＮＰ）基で置換されていて、ＡまたはＸの他方は非極性基で置換されているかのいずれかであり；
ｓは−Ｃ≡Ｃ−であり；
Ｒ１は（ｉ）ハロゲンであって、Ｒ２は水素であり；（ｉｉ）Ｙ−ｓ−Ｘ−ｓ−であって、Ｒ２はＹであり；または（ｉｉｉ）Ｙ−ｓ−であって、Ｒ２は−Ａ−ｓ−Ｙ（ここにＹはピリジンまたはフェニルであり、該ピリジンまたはフェニルは、所望により、独立してハロゲン、ニトロ、シアノ、Ｃ１−Ｃ６アルコキシ、Ｃ１−Ｃ６アルコキシカルボニルおよびベンジルオキシカルボニルよりなる群から選択される１または２の置換基で置換されていてもよい）であり；
ＮＰは、独立して、Ｒ４または−Ｕ−（ＣＨ２）ｐ−Ｒ４から選択される非極性基であり、ここにＲ４は水素、Ｃ１−Ｃ１０アルキル、Ｃ３−Ｃ１８分岐型アルキル、Ｃ３−Ｃ８シクロアルキル、所望により１またはそれを超えるＣ１−Ｃ４アルキルまたはハロゲン基で置換されていてもよい単環式または多環式フェニル、および所望により１またはそれを超えるＣ１−Ｃ４アルキルまたはハロゲン基で置換されていてもよい単環式または多環式ヘテロアリールよりなる群から選択され、Ｕおよびｐは後記定義に同じであり；
Ｐは下記式で示されるＩＩＩ、ヒドロキシエトキシメチル、メトキシエトキシメチルおよびポリオキシエチレンよりなる群から選択される極性基であり、
【化８】
2009155653.tif 000008
式中；
Ｕは存在しないか、またはＯ、Ｓ、Ｓ（＝Ｏ）、Ｓ（＝Ｏ）２、ＮＨ、−Ｃ（＝Ｏ）Ｏ−、−Ｃ（＝Ｏ）ＮＨ−、−Ｃ（＝Ｏ）Ｓ−、−Ｃ（＝Ｓ）ＮＨ−、−Ｓ（＝Ｏ）２ＮＨ−およびＣ（＝ＮＯ−）よりなる群から選択され、ここに２の化学的に非等価な末端を有する基は両方の可能な配位をとり得；
Ｖはアミノ、ヒドロキシル、Ｃ１−Ｃ６アルキルアミノ、Ｃ１−Ｃ６ジアルキルアミノ、ＮＨ（ＣＨ２）ｐＮＨ２、Ｎ（ＣＨ２ＣＨ２ＮＨ２）２、アミジン、グアニジン、セミカルバゾン、塩基性複素環、および所望によりアミノ、Ｃ１−Ｃ６アルキルアミノ、Ｃ１−Ｃ６ジアルキルアミノおよび所望により１またはそれを超えるアミノ、Ｃ１−Ｃ６アルキルアミノまたはＣ１−Ｃ６ジアルキルアミノで置換されていてもよいＣ１−Ｃ６アシルアミノで置換されていてもよいフェニルよりなる群から選択され；および
アルキレン鎖は所望によりアミノまたはヒドロキシル基で置換されていてもよく、または不飽和であり；
ｐは独立して０ないし８であり；および
ｍは２ないし５００である、
但し、ＡおよびＸがチオフェンである場合、極性基が３−（プロピオン酸）またはメトキシ（ジエトキシ）エチルとなることはできず、非極性基がｎ−ドデシルとなることはできない]
で示される化合物を含むポリマーまたはオリゴマー。
【請求項３４】
ｍが２ないし３０である請求項３３記載のポリマーまたはオリゴマー。
【請求項３５】
ＡおよびＸが、独立して、所望により置換されていてもよいｍ−フェニレンであり、ＡまたはＸの一方は極性（Ｐ）基および非極性（ＮＰ）基で置換されており、ＡまたはＸの他方は極性（Ｐ）基でも、または非極性（ＮＰ）基でも置換されていない請求項３４記載のポリマーまたはオリゴマー。
【請求項３６】
ＡまたはＸの一方が２−位で極性基で、および５−位で非極性で置換されており、ＡまたはＸの他方は極性基でも非極性基でも置換されていない請求項３５記載のポリマーまたはオリゴマー。
【請求項３７】
Ｐが極性基Ｕ−（ＣＨ２）Ｐ−Ｖであり、ここに、Ｕは存在しないか、あるいはＯおよびＳよりなる群から選択され、Ｖはアミノ、Ｃ１−Ｃ６アルキルアミノ、Ｃ１−Ｃ６ジアルキルアミノ、イミダゾール、グアニジン、ＮＨ（ＣＨ２）ＰＮＨ２、Ｎ（ＣＨ２ＣＨ２ＮＨ２）２、ピペリジン、ピペラジン、および４−アルキルピペラジンよりなる群から選択される請求項３６記載のポリマーまたはオリゴマー。
【請求項３８】
Ｕが存在しない請求項３７記載のポリマーまたはオリゴマー。
【請求項３９】
式Ｉ：
【化９】
2009155653.tif 000009
[式中：ｍは２ないし５００である]
で示される化合物を含むポリマーまたはオリゴマー。